(57)【特許請求の範囲】
【請求項１】
雨水排水経路としての竪樋９と、
竪樋９途中に設置されて排水を分流する取水器１において、
筒状体から成り、竪樋９からの排水を外部に分流させる為の横穴部２３及び、竪樋９の軸方向の長さを位置決めする位置決め部２１を構成した本体部２と、
前記取水器１の上部に取り付ける筒状のアダプター部３と、
前記本体部２上部に延出して構成し竪樋９をガイドするガイド部２２と、
ガイド部２２の周囲であって、且つ本体部２の側面に構成した開放部分と、
から構成し、
前記開放部分の下端から本体部２の下端までの高さ幅を、竪樋９をカットする幅よりも幅狭としたことを特徴とする取水器。
【請求項２】
前記本体部２のガイド部２２を側面から覆うように着脱自在に配置される雨水中の異物を分離する分離装置４を構成したことを特徴とする前記請求項１に記載の取水器。
【請求項３】
竪樋９の一部を切断除去し、アダプター部３を予め上側竪樋９１に差し込み、更に下側竪樋９２に本体部２を差し込んでから、上側竪樋９１を取水器１のガイド部２２に沿わせることによって、上側竪樋９１と下側竪樋９２とを同軸上に配置し、アダプター部３を下方にスライドさせて本体部２上部に取り付ることによって、取付が完了する前記請求項１又は請求項２のいずれか一つに記載の取水器の取付方法。
【発明の詳細な説明】
【技術分野】
【０００１】
本発明は、トイレの水や園芸用の水として利用するために雨水をタンクに貯水する技術において、特に、雨水排水経路から雨水タンクへと分流させる取水器に関する技術である。
【背景技術】
【０００２】
現在、環境問題に対応するために、雨水を貯水してトイレの排水や園芸用の水として再利用することによって、環境負荷を減らそうという動きが活発になっている。
この、雨水再利用の一つの手法として、屋根に降った雨水を雨樋によって集め、地中の雨水桝へと排水する雨水排水経路の途中を分流させ、この分流配管を雨水タンクへと接続し、雨樋中の排水を雨水タンクによって貯水するシステムがある。（図４参照）このようなシステムであれば、簡単な構造であるため一般家庭でも気軽に設置することができ、更には、貯水した雨水を再利用することによって地球環境にも良い、というものである。（以上のシステムを以下、雨水排水システムと記載する。）
【０００３】
通常、このような雨水排水システムは、使用者が適宜選択して、住宅建築時より後、つまり住宅施工完了後に使用者によって取り付ける手法が主流である。このような後付けシステムの場合、当然に誰でも、住宅設備施工業者や素人でも、簡単に取り付けることができる必要がある。
【０００４】
ここで、従来例として図４及び図１１乃至図１５に示した雨水排水システムがある。
この雨水排水システムは、雨樋、雨水タンク、取水器、から成る。
雨樋は、雨水などの液体を雨水桝へと運ぶのに用いる設備であり、本従来例では、軒樋、集水器、竪樋から構成される。当該軒樋は、屋根の軒下に並列的に配置されて、屋根から流れ落ちる雨水を受け止めるよう配置され、更に軒樋の下流に配置された集水器によって、軒樋からの雨水（排水）を一箇所に集め、集水器に接続されたエルボや縦管状の竪樋を通して最終的には雨水桝へと排水される。
雨水タンクは、蛇口を有した箱体であって、内部に上記した雨樋からの雨水を貯水するタンクである。尚、使用者は、雨水タンクに構成された蛇口により内部の雨水を利用することとなる。
取水器は、竪樋中に設置されて、竪樋内の排水を分流する装置であって、本従来例では、竪樋内部に設置され、横引き状に前記雨水タンクへと配管して成る部材である。本従来例では、筒状体であって、上下の開放端が竪樋と接続され、取水した排水を分流するための横穴状に開口した横穴部を構成してなる。また、下方内周面には、下側竪樋の位置決めを行う位置決め部を段差として構成して成る。
【０００５】
上記の様な従来の雨水排水システムを取り付ける場合、以下のような手順となる。
竪樋の途中箇所を、図１２のように一部切断除去する。図１３に示したように切断除去した竪樋の上側（以下、上側竪樋と記載）に取水器を嵌め込み、上限までスライドさせて、図１４に示したように切断除去した竪樋の下側（以下、下側竪樋と記載）と上側竪樋を同軸状に配置し、取水器を下側竪樋に嵌め込む。そして、図１５に示したように取水器の位置決め部に下側竪樋が当接するまで下側にスライドさせる。その後、ホースによって取水器の横穴部から庭やベランダなどに設置した雨水タンクまで接続し、本雨水排水システムの取付は終了する。
【先行技術文献】
【特許文献】
【０００６】
【特許文献１】特開２００１−１０７５２３
【発明の開示】
【発明が解決しようとする課題】
【０００７】
前述したような雨水排水システムに用いられる取水器を取り付ける際、以下のような問題があった。
従来例のような構造の取水器によると、竪樋のカット寸法は以下の通りとなる。
カット寸法をＬとして（取水器全高−上側竪樋の差し込み代）≦Ｌ＜取水器全高となる。
つまり、「取水器全高−上側竪樋の差し込み代」分カットすることが一番良く、その状態から「取水器の上側竪樋の差し込み代」幅までが、竪樋カットの誤差許容範囲となる。なぜならば、それ以上カットしてしまうとカット幅が取水器全高より大きくなってしまい、竪樋と取水器の取付が不可能になってしまう。
しかしながら、竪樋のカット幅が取水器の全高より小さいため、取水器を上側竪樋に取り付ける際には無理矢理嵌めなければならず、使用者は、取水器を傾斜させて上側竪樋に差し込むか、上側竪樋を無理矢理側方に軸ズレさせてから取水器を差し込むか、の二つの手法によって取り付けていた。
このような手法で取り付けると、上側竪樋を無理に側方に軸ズレさせる為、竪樋を破損させてしまうことがあった。
また、竪樋の施工時に、上側と下側に軸ズレが生じたまま施工された際には、取水器を取り付けようと竪樋をカットすると、その際に既に軸ズレが生じてしまう。このようになると、取水器を上側竪樋に差し込んだ後、下側竪樋に差し込む際、元々軸ズレが生じているので上側、下側竪樋を同軸上に配置させることが特に取付の素人である使用者にとっては非常に難しくなる。
また、差し込み代が外観視できない為、使用者がカットしづらいという問題もある。また、上述したように、竪樋のカット寸法の許容誤差は取水器の上側竪樋への差し込み代分しか無いが、どの程度差し込み代があるか使用者（取付者）は外観視できない為判別できず、適切な長さに竪樋をカットすることが困難であった。また、間違ってカット寸法を許容誤差以上カットしてしまうと、取水器を竪樋に取り付けると空間が出来てしまい、取水器を取り付けられないばかりか、切断された竪樋の修理まで行わなければ成らず、このような事態は一番避けなければならない。
【０００８】
以上のことから、本願発明は以下の課題を解決することを目的とする。
１．取水器を竪樋に取付時、上側竪樋と下側竪樋を軸ズレさせなくても簡単に竪樋に取り付けることが出来る取水器。
２．もし、上側竪樋と下側竪樋の軸ズレが発生していたとしても、上側竪樋をガイドさせることにより、より簡単に竪樋に取水器を取り付けることができる取水器。
３．取水器の差込み代が見えないため、取り付け時に使用者が現物合わせでカットしようとしても困難である為、これを解決した取水器。
４．竪樋のカット幅の誤差許容範囲が、取水器の上側竪樋の差込代分しかない為、これ以上の差込代を確保した取水器。
５．取水器の上側竪樋の差し込み代を、取水器の下側竪樋の差込代より大きくした取水器。
６．素人である使用者に簡単に取り付けられる取水器とその取付方法。
【課題を解決するための手段】
【０００９】
請求項１に記載の本発明は、雨水排水経路としての竪樋９と、竪樋９途中に設置されて排水を分流する取水器１において、筒状体から成り、竪樋９からの排水を外部に分流させる為の横穴部２３及び、竪樋９の軸方向の長さを位置決めする位置決め部２１を構成した本体部２と、前記取水器１の上部に取り付ける筒状のアダプター部３と、前記本体部２上部に延出して構成し竪樋９をガイドするガイド部２２と、ガイド部２２の周囲であって、且つ本体部２の側面に構成した開放部分と、から構成し、前記開放部分の下端から本体部２の下端までの幅を、竪樋９をカットする幅よりも幅狭としたことを特徴とする取水器である。
【００１１】
請求項２に記載の本発明は、前記本体部２のガイド部２２を側面から覆うように着脱自在に配置される雨水中の異物を分離する分離装置４を構成したことを特徴とする前記段落０００９に記載の取水器である。
【００１２】
請求項３に記載の本発明は、竪樋９の一部を切断除去し、アダプター部３を予め上側竪樋９１に差し込み、更に下側竪樋９２に本体部２を差し込んでから、上側竪樋９１を取水器１のガイド部２２に沿わせることによって、上側竪樋９１と下側竪樋９２とを同軸上に配置し、アダプター部３を下方にスライドさせて本体部２上部に取り付ることによって、取付が完了する前記段落０００９又は段落００１１のいずれか一つに記載の取水器の取付方法である。
【発明の効果】
【００１３】
請求項１に記載の本発明は、前記本体部２に一部切り欠き開放するように構成し竪樋９をガイドするガイド部２２とを構成したことにより、竪樋９のカット部分に軸ズレが発生していても、竪樋９をガイド部２２にガイドさせることによって、円滑且つ簡単、容易に竪樋９と取水器セットすることができる。また、ガイド部２２が本体部２側面に開放されて構成されているから、仮に上下の竪樋９に軸ズレが発生していなくても、取水器１の本体部２を側面に開放されているガイド部２２から差し込むことにより、無理に取水器１本体を傾斜させたり、上下竪樋９を無理矢理軸ズレさせたりしないでも、簡単且つ円滑に取り付けることができる。
請求項１に記載の本発明は、上記ガイド部２２を本体部２上方に構成したことにより、側面から本体を竪樋９に差し込むことができ、より容易に取り付けることができる。
請求項２に記載の本発明は、前記本体部２に着脱自在に配置される雨水中の異物を分離する分離装置４を構成したことにより、雨水中の落ち葉などのゴミを分離することが出来、雨水タンク６内へゴミを混入させることがない。また、分離装置４を脱着自在に配置しているので、使用者が適宜分離装置４を取水器１から取り外して内部のゴミを廃棄することができ、衛生的である。
請求項３に記載の本発明は、竪樋９の一部を切断除去し、アダプター部３を予め上側竪樋９１に差し込み、更に下側竪樋９２に本体部２を差し込んでから、上側竪樋９１を取水器１のガイド部２２に沿わせることによって、上側竪樋９１と下側竪樋９２とを同軸上に配置し、アダプター部３を下方にスライドさせて本体部２上部に取り付ることによって、取付が完了する取付方法により、使用者が失敗無く、更に簡単に竪樋９に取り付けることが出来る。
【図面の簡単な説明】
【００１４】
【図１】本発明の取水器の斜視図である。
【図２】本発明の取水器の断面斜視図である。
【図３】本発明の取水器の断面図である。
【図４】雨水排水システムを示す図である。
【図５】本発明の取水器を取り付ける際の手順図である。
【図６】本発明の取水器を取り付ける際の手順図である。
【図７】本発明の取水器を取り付けた際の断面図である。
【図８】本発明の取水器を取り付けた際の斜視図である。
【図９】本発明の取水器を取り付け時を示す斜視図である。
【図１０】本発明の取水器を取り付け時を示す斜視図である。
【図１１】従来例を示す断面図である。
【図１２】従来例の取水器を取り付ける際し手順図である。
【図１３】従来例の取水器を取り付ける際し手順図である。
【図１４】従来例の取水器を取り付ける際し手順図である。
【図１５】従来例の取水器を取り付ける際し手順図である。
【発明を実施するための形態】
【００１５】
図１乃至図１０に示した雨水排水システムは、雨樋、雨水タンク６、取水器１、から成る。
図４に示したように、雨樋は、雨水などの液体を雨水桝へと運ぶのに用いる設備であり、本実施例では、軒樋７、集水器８、竪樋から構成される。当該軒樋７は、屋根の軒下に並列的に配置されて、屋根から流れ落ちる雨水を受け止めるよう配置され、更に軒樋７の下流に配置された集水器８によって、軒樋７からの雨水（排水）を一箇所に集め、集水器８に接続されたエルボや縦管状の竪樋９を通して最終的には雨水桝へと排水される。
雨水タンク６は、蛇口を有した箱体であって、内部に上記した雨樋からの雨水を貯水するタンクである。尚、使用者は、雨水タンク６に構成された蛇口により内部の雨水を利用することとなる。
取水器１は、竪樋９中に設置されて、竪樋９内の排水を分流する装置であって、本体部２、横穴部２３、位置決め部２１、ガイド部２２、アダプター部３、分離装置４、から構成される。
本体部２は、筒状体から成り、その上端から下端に向かって雨水が流入して排出される構成となっている。また、竪樋９の途中箇所に配置されるため、上端には、上側竪樋９１に設置される後述するアダプター部３が取り付けられ、下端内周面には、下側竪樋９２が嵌合取り付けるための位置決め部２１が構成される。
横穴部２３は、本体部２側面に構成される横穴部２３であって、その下流にはホース５が接続される。当該ホース５は最終的には雨水タンク６に接続されているので、竪樋９から本体部２内に流入した雨水は本体部２上部から流入し、横穴部２３によって本流から分流されて、ホース５を介して最終的には雨水タンク６へと排水される。
位置決め部２１は、本体部２の下端内周に段状に構成され、本体部２内周に下側竪樋９２が挿入された際に、位置決め部２１の段に下側竪樋９２が当接する事で、容易に竪樋９をセットすることができる。
ガイド部２２は、本体部２上部に延出して構成され、本体部２側面が開放されるように構成される。当該ガイド部２２は、竪樋９に取水器１を取り付ける際に、上側竪樋９１をガイドする為に構成される物であり、また、ガイド部２２の周囲に構成される開放部分から、上側竪樋９１を側面から差し込み、更にガイド部２２に当接させることによって簡単に取水器１に竪樋９を取り付けることができるものである。
アダプター部３は、本体部２の上部に取り付けられる筒状の部材であって、下端が本体部２上部と取り付けられるよう構成されてなる。上側竪樋９１に予め取り付けられ、本体部２を下側竪樋９２に取り付けた後、当該アダプター部３を下方に降下させ、本体部２上部にセットさせることによって、取水器１は竪樋９に強固に取り付けることができるものである。
分離装置４は、図１０、図２に示したように、竪樋９内を流下する雨水中のゴミを雨水と分離させるために構成するものであり、筒状であって、内周面から中心方向に向かって傾斜して構成される網部４１と、中心部分に構成された、上側竪樋９１からの雨水を直接的に下側竪樋９２側へと排水する排水口４３とを構成してなる。分離装置４は、本体部２とアダプター部３の中間位置に構成され、一方が開放端となっており、当該開放端は上記本体部２のガイド部２２に合致して配置構成される。尚、分離装置４は脱着自在に構成されており、本体部２のガイド部２２を側面から覆うように構成され、取付完了時には本体部２、アダプター部３とともに筒状に竪樋９に取り付けられるように構成される。脱着自在に取り外すための滑り止めリブ付きの取手４２が構成される。当該滑り止めリブ付きの取手４２を使用者は適宜引っ張ることで、簡単に分離装置４は本体部２から取り外すことができるので、分離装置４上に分離された排水中のゴミは簡単に捨てることが出来る。
【００１６】
上記のように構成した取水器１は以下のように雨水排水システムの竪樋９に取り付けられる。
雨水排水システムの竪樋９において、竪樋９を使用者が適宜カットする。このときのカット寸法は取水器１の上側竪樋９１への差し込み代がガイド部２２の切り欠きによる開放部分より外観視できるので、現物合わせでカットすることができ、使用者にとっては非常にカットしやすく、更には誤ってカット寸法を切ってしまう、といったことが予防できる。
カット切断した上側竪樋９１に、予めアダプター部３を差し込んでおき、図５に示したように竪樋９側方から本体部２を上側竪樋９１と下側竪樋９２の間に差し込む。そして、図６に示したようにガイド部位２２を上側縦樋９１にガイドさせて上側竪樋２１と下側竪樋９２と本体部を同軸上に配置させる。そして、図７に示すように下側竪樋９２に本体部２を差し込む。この時、本体部２のガイド部２２側方の開放された箇所を備えているため、上側竪樋９１部分をよけるように差し込むことができ、本体部２を傾斜させて下側竪樋９２に差し込んだり、上側竪樋９１や下側竪樋９２を引っ張って軸ズレさせたりすることなく、簡単に取付の素人でも取り付けることが出来る。
また、本体部２を下側竪樋９２に差し込む際、ガイド部２２を上側竪樋９１にガイドすることで、上側竪樋９１と下側竪樋９２の軸合わせ・位置あわせが出来、そのまま本体部２を竪樋９に降下させることにより、容易に下側竪樋９２に本体部２を取り付けることが出来る。また、本体部２側面は開放されて構成されて側面から竪樋９にセットできるので、カットの誤差許容範囲が上側竪樋９１の差し込み代より幅広にできるようになった。
下側竪樋９２を本体部２の位置決め部２１に当接させて、下側竪樋９２と本体部２の取付は完了し、その後、上側竪樋９１に予め取り付けてあったアダプター部３を下降させ、本体部２上部に取付固定する。そして図１０に示すように分離装置４をアダプター部３と本体部２の隙間に嵌め込むことで取水器１は竪樋９に取付終了する。
【００１７】
上記のように取り付けられた雨水排水システムの雨水の流れは以下のようになる。
降雨が始まると、住宅の屋根から雨樋の軒樋７上に雨水が流入し、集水器８から竪樋９に雨水が流入する。竪樋９内に流入した雨水は、アダプター部３から取水器１内部に流入し、分離装置４の網部４１で排水中のゴミと排水が分離され、網部４１を介して取水器１側面に構成された横穴部２３から、取水器１外部へと排出されて、竪樋９本流から分流される。当該分流された排水は、横穴部２３から横穴部２３に接続されたホース５部を介して雨水タンク６へと排水される。雨水タンク内の雨水は、ある一定量貯水され、使用者が雨水タンク６に構成されたコックや蛇口などを開栓することにより、自由に使用することが出来る。
また、雨水タンク６が排水によって満杯となれば、取水器１内の横穴部２３から排水がオーバーフローし、分離装置４の排水口４３を介して本体部２下流へと排出され、本体部２の位置決め部２１に配置される下側竪樋９２側へと排水され、最終的には雨水桝へと排水される。
また、分離装置４内に捕集したゴミ等が蓄積すると、捕集したゴミが邪魔して雨水タンク６側へ排水が流入することが出来ないため、使用者が適宜分離装置４を取水器１から取り外して、捕集ゴミを破棄処分して清掃し、清掃が終了した分離装置４は、そのまま取水器１に取り付けることで、円滑に使用することができる。
【００１８】
本発明の実施例は以上のようであるが、本発明は上記実施例に限定されるものではなく、主旨を変更しない範囲において自由に変更が可能である。
例えば、上記実施例では、分離装置４を構成しているが、分離装置４を構成しない構造のものでも構わない。
また、前記実施例では上側竪樋９１と下側竪樋９２が同軸上に配置されている際の取付方法を記載したが、図９に示したように上側竪樋９１と下側竪樋９２の軸がずれているような場合でも、上側竪樋９１を本体部２のガイド部２２にガイドさせることで簡単かつ少ない力で取り付けることが出来る為構わない。
【符号の説明】
【００１９】
１    取水器
２    本体部
２１  位置決め部
２２  ガイド部
２３  横穴部
３    アダプター部
４    分離装置
４１  網部
４２  取手
４３  排水口
５    ホース
６    雨水タンク
７    軒樋
８    集水器
９    竪樋
９１  上側竪樋
９２  下側竪樋
【図１】
0005740576.tif 000002
【図２】
0005740576.tif 000003
【図３】
0005740576.tif 000004
【図４】
0005740576.tif 000005
【図５】
0005740576.tif 000006
【図６】
0005740576.tif 000007
【図７】
0005740576.tif 000008
【図８】
0005740576.tif 000009
【図９】
0005740576.tif 000010
【図１０】
0005740576.tif 000011
【図１１】
0005740576.tif 000012
【図１２】
0005740576.tif 000013
【図１３】
0005740576.tif 000014
【図１４】
0005740576.tif 000015
【図１５】
0005740576.tif 000016